(57)【要約】      （修正有）【課題】次に再生されるべきトラック（楽曲）がユーザにとって容易に把握できるようにすると共に、現在或るトラックが再生中とされる期間において、この次に再生されるべきトラック（楽曲）をスキップさせるための操作ができるようにする。【解決手段】現在再生中とされるプログラムの次に再生すべき次プログラムを、これまでに再生が行われたとされる再生済みプログラムについては次プログラムの判定の候補には含めずにランダムに判定する次プログラム判定手段と、現在再生中とされるプログラムのタイトルを表示する第１表示領域と、次プログラム判定手段により判定された次プログラムについて、次に再生すべき次プログラムのタイトルを表示する第２表示領域を含む表示手段と、関連データに基づいて現在再生中とされるプログラムのタイトルと次に再生されるプログラムのタイトルを表示手段に表示するように制御するプログラム提示手段とを備える。【選択図】図３
2007087580.tif 000002
【特許請求の範囲】
【請求項１】
少なくとも、プログラムとしての単位により管理される、該プログラムの関連データが関連つけられるオーディオデータが記録される所定の記録媒体に対応して再生を行うことのできる再生装置として、
現在再生中とされるプログラムの次に再生すべき次プログラムを、これまでに再生が行われたとされる再生済みプログラムについては次プログラムの判定の候補には含めずにランダムに判定する次プログラム判定手段と、
現在再生中とされるプログラムのタイトルを表示する第１表示領域と、上記次プログラム判定手段により判定された次プログラムについて、次に再生すべき次プログラムのタイトルを表示する次プログラムタイトル表示する第２表示領域を含む表示手段と、
上記関連データに基づいて現在再生中とされるプログラムのタイトルと次に再生されるプログラムのタイトルを表示手段に表示するように制御するプログラム提示手段と、
を備える再生装置。
【請求項２】
当該再生装置は、
スキップ操作手段と
を備え、
或るプログラムを再生中において、上記スキップ操作手段に対する操作が行われた場合には、上記次プログラム判定手段は、現在における次プログラムについての判定を取り消すと共に、この判定が取り消されたプログラムの次に再生すべきとされるプログラムを判定して、この判定されたプログラムを新規な次プログラムとして設定すると共に上記第２表示領域に表示された現在における次プログラムのタイトルから取り消されたプログラムの次に再生すべきとされるプログラムのタイトルに表示が変更される、スキップ設定処理を実行すると共に、
上記スキップ設定処理によって再生前に次プログラムとしての判定が取り消されたプログラムについては、再生済みのプログラムとして扱わないことで、上記スキップ設定処理の後における次プログラムの判定の候補に含めるようにされている
ことを特徴とする請求項１に記載の再生装置。
【請求項３】
上記次プログラム判定手段は、上記スキップ操作手段に対する操作が行われた場合に取り消されたプログラムの次に再生すべきとされるプログラムとして判定されないようにすることを特徴とする請求項２に記載の再生装置。
【請求項４】
上記表示部は、画像データ表示領域を含み、
プログラム提示手段は、上記関連データに基づいて次に再生されるプログラムの関連画像を上記画像データ表示領域に表示するように制御することを特徴とする請求項３に記載の再生装置。
【請求項５】
上記所定の記録媒体は固体メモリ或いはハードディスクであることを特徴とする請求項３に記載の再生装置。
【請求項６】
少なくとも、プログラムとしての単位により管理される、該プログラムの関連データが関連つけられるオーディオデータが記録される所定の記録媒体に対応して再生を行うことのできる再生装置の再生方法として、
現在再生中とされるプログラムの次に再生すべき次プログラムを、これまでに再生が行われたとされる再生済みプログラムについては次プログラムの判定の候補には含めずにランダムに判定する次プログラム判定手順と、
上記関連データに基づいて現在再生中とされるプログラムのタイトルと次に再生されるプログラムのタイトルを表示手段に表示するように制御するプログラム提示手順と、
上記プログラム提示手順で提示された、現在再生中とされるプログラムのタイトルを上記表示手段の第１表示領域に表示し、上記次プログラム判定手順により判定された次に再生すべき次プログラムのタイトルを上記表示手段の第２表示領域に表示する表示手順と、
を備える再生方法。
【請求項７】
当該再生方法は、
スキップ操作手順と
を備え、
或るプログラムを再生中において、上記スキップ操作手順に対する操作が行われた場合には、上記次プログラム判定手順は、現在における次プログラムについての判定を取り消すと共に、この判定が取り消されたプログラムの次に再生すべきとされるプログラムを判定して、この判定されたプログラムを新規な次プログラムとして設定すると共に上記第２表示領域に表示された現在における次プログラムのタイトルから取り消されたプログラムの次に再生すべきとされるプログラムのタイトルに表示が変更される、スキップ設定処理を実行すると共に、
上記スキップ設定処理によって再生前に次プログラムとしての判定が取り消されたプログラムについては、再生済みのプログラムとして扱わないことで、上記スキップ設定処理の後における次プログラムの判定の候補に含めるようにされている
ことを特徴とする請求項６に記載の再生方法。
【請求項８】
上記次プログラム判定手順は、上記スキップ操作手順に対する操作が行われた場合に取り消されたプログラムの次に再生すべきとされるプログラムとして判定されないようにすることを特徴とする請求項７に記載の再生方法。
【請求項９】
上記表示手段は画像データ表示領域を含み、
プログラム提示手順は、上記関連データに基づいて次に再生されるプログラムの関連画像を上記画像データ表示領域に表示するように制御することを特徴とする請求項８に記載の再生方法。
【請求項１０】
上記所定の記録媒体は固体メモリ或いはハードディスクであることを特徴とする請求項８に記載の再生方法。
【発明の詳細な説明】
【技術分野】
【０００１】
本発明は、プログラム単位により管理されたオーディオデータを再生することのできる再生装置及び再生方法に関するものである。
【背景技術】
【０００２】
例えば、ＣＤ(Compact Disc)や、いわゆるミニディスクなどに対応するオーディオ機器をはじめとして、楽曲等のオーディオデータを再生することのできるデジタルオーディオシステムが広く普及している。
【０００３】
このようなオーディオシステムでは、メディアに記録されるオーディオデータは、例えば楽曲ごとにプログラム単位で管理されているのが通常である。従って、例えば通常の再生であれば、プログラムナンバ順に従って、順次オーディオデータが再生されていくことになる。
なお、以降、本明細書においては、上記プログラムについてトラックともいうことにする。
【発明の開示】
【発明が解決しようとする課題】
【０００４】
ところで、上記のようにしてトラックが順次再生されていく場合において、例えば、次に再生されるトラックとしての楽曲は好みではないので、これについてスキップ（送り）を行って再生させないようにしたいといった要望は当然考えられるものである。
【０００５】
ところが、例えば通常の再生時においてであれば、オーディオ機器の表示部に表示されている現在再生中のトラックナンバを見たりすることで、次に再生されるトラックナンバを知ることはできるのであるが、次に再生されるトラックだけをスキップさせるには、現在再生中のトラックの再生が終了して、この次のトラックの再生が開始されたときに、更に次のトラックに対しての頭出し操作を行う必要がある。つまり、現在、或るトラックが再生中とされるときに、その次に再生されるトラックのみをスキップさせるということは出来ないものである。
【０００６】
このため、各種オーディオ機器には、いわゆるプログラム再生機能が備えられている。このプログラム再生機能は、例えば、或る記録媒体に記録されている全トラックのうちから、ユーザが再生を行いたいとする好みどおりのトラック順に従って、任意の数のトラックを選択できるようにするものである。
但し、一般に、上記のようなプログラム設定は、再生前の段階で行われるもので、設定されたプログラム内容に従った再生が行われている間は、プログラム内容の変更を行うことは出来ない。
ここで、例えば、プログラム再生中においても、そのときのユーザの気分などで、例えば次に再生されるトラックはスキップさせたいと思ったとしても、これをスキップさせるには、やはり、上記のようにして、現在再生中のトラックの再生が終了した後に、更に次のトラックへの頭出しのための操作を行う必要があることになる。
【０００７】
また、このようなオーディオ機器には、いわゆるシャッフル再生機能も備えられている。シャッフル再生とは、例えば機器側で適当に乱数を発生させるなどしてランダムなトラック順を決定して、トラック再生を行っていくものである。
このようなシャッフル再生の場合には、次に再生されるべきトラックは例えば表示などによって外部に提示されることはないため、ユーザとしても次の楽曲（トラック）を把握することはできない。
従って、シャッフル再生の場合において、上記のようにしてユーザが次に再生される楽曲をスキップさせたいと思ったとしても、この場合には、ユーザは次に再生される楽曲を予め知ることも出来ないことになる。従って、この場合には、或るトラックが再生開始されたときに、この楽曲が好みでないと始めて分かることになり、やはりこの段階で、次の曲への頭出しを行って、次のトラックが好みの楽曲であることを期待するしか出来ないことになる。
【課題を解決するための手段】
【０００８】
本発明は、少なくとも、プログラムとしての単位により管理される、該プログラムの関連データが関連つけられるオーディオデータが記録される所定の記録媒体に対応して再生を行うことのできる再生装置として、現在再生中とされるプログラムの次に再生すべき次プログラムを、これまでに再生が行われたとされる再生済みプログラムについては次プログラムの判定の候補には含めずにランダムに判定する次プログラム判定手段と、現在再生中とされるプログラムのタイトルを表示する第１表示領域と、上記次プログラム判定手段により判定された次プログラムについて、次に再生すべき次プログラムのタイトルを表示する次プログラムタイトル表示する第２表示領域を含む表示手段と、上記関連データに基づいて現在再生中とされるプログラムのタイトルと次に再生されるプログラムのタイトルを表示手段に表示するように制御するプログラム提示手段と、を備える。
【０００９】
さらに、当該再生装置は、スキップ操作手段とを備え、或るプログラムを再生中において、上記スキップ操作手段に対する操作が行われた場合には、上記次プログラム判定手段は、現在における次プログラムについての判定を取り消すと共に、この判定が取り消されたプログラムの次に再生すべきとされるプログラムを判定して、この判定されたプログラムを新規な次プログラムとして設定すると共に上記第２表示領域に表示された現在における次プログラムのタイトルから取り消されたプログラムの次に再生すべきとされるプログラムのタイトルに表示が変更される、スキップ設定処理を実行すると共に、上記スキップ設定処理によって再生前に次プログラムとしての判定が取り消されたプログラムについては、再生済みのプログラムとして扱わないことで、上記スキップ設定処理の後における次プログラムの判定の候補に含めるようにする。
【００１０】
また、本発明は、少なくとも、プログラムとしての単位により管理される、該プログラムの関連データが関連つけられるオーディオデータが記録される所定の記録媒体に対応して再生を行うことのできる再生装置の再生方法として、現在再生中とされるプログラムの次に再生すべき次プログラムを、これまでに再生が行われたとされる再生済みプログラムについては次プログラムの判定の候補には含めずにランダムに判定する次プログラム判定手順と、上記関連データに基づいて現在再生中とされるプログラムのタイトルと次に再生されるプログラムのタイトルを表示手段に表示するように制御するプログラム提示手順と、上記プログラム提示手順で提示された、現在再生中とされるプログラムのタイトルを上記表示手段の第１表示領域に表示し、上記次プログラム判定手順により判定された次に再生すべき次プログラムのタイトルを上記表示手段の第２表示領域に表示する表示手順と、
を備える。
【００１１】
さらに、該再生方法は、スキップ操作手順とを備え、或るプログラムを再生中において、上記スキップ操作手順に対する操作が行われた場合には、上記次プログラム判定手順は、現在における次プログラムについての判定を取り消すと共に、この判定が取り消されたプログラムの次に再生すべきとされるプログラムを判定して、この判定されたプログラムを新規な次プログラムとして設定すると共に上記第２表示領域に表示された現在における次プログラムのタイトルから取り消されたプログラムの次に再生すべきとされるプログラムのタイトルに表示が変更される、スキップ設定処理を実行すると共に、上記スキップ設定処理によって再生前に次プログラムとしての判定が取り消されたプログラムについては、再生済みのプログラムとして扱わないことで、上記スキップ設定処理の後における次プログラムの判定の候補に含めるようにする。
【発明の効果】
【００１２】
以上説明したように本発明は、例えば或る楽曲としてのトラック（プログラム）を再生しているときに、次に再生すべきトラックである次トラックがユーザに対して提示されることになる。そして、例えばユーザは、提示された次トラックを把握して、この次トラックを聴きたくなければ、その前のトラックを再生中であっても、次に再生すべきトラックをスキップさせて、これとは異なるトラックを次トラックとして設定するための操作を行うことができる。
例えば従来、次トラックをスキップさせて聴かないようにするためには、ユーザは、その前のトラックの再生が終了して、この次トラックの再生が開始されるの待って例えば送り方向の頭出し操作を行うことでそのトラックをスキップさせていた。つまりは、その前のトラックを再生しているときには、次のトラックをスキップさせることが出来ず、前のトラックの再生が終了するまで待っていなければならなかった。これに対して、本発明では、トラックを再生しているときに、その次のトラックをスキップさせることができるため、上記のようにトラックの再生終了を待つこともなくなり、それだけユーザの使い勝手が向上されるものである。
【００１３】
特に、シャッフル再生時においては、従来では、次に再生されるトラックを提示することが無かったため、ユーザとしては、次のトラックの再生が開始されるまで、その楽曲内容が分からずにいたものである。そこで、例えば本発明がシャッフル再生時に適用されれば、少なくとも次の楽曲（トラック）に関してはユーザに対して提示されたうえで、上記のようにして、現在再生中のトラックの終了を待たずして次トラックのスキップを行えるために、特に有用となるものである。
【００１４】
また、本発明としては、スキップの対象となったトラック、即ちスキップ処理によって次トラックとしての判定が取り消されたトラックについては、再生済みととして扱わずに、次回からの次トラックの判定の候補に含めるようにする、又は、スキップの対象となったトラックについては、再生済みとして扱って次回からの次トラックの判定の候補には含めないようにするといった構成を採ることができるが、特に、再生順が予め決定されることなくランダムとなるシャッフル再生などにあっては、スキップ操作に伴ってのトラック再生のバリエーションが得られることになって、付加価値が高められるものである。
【発明を実施するための最良の形態】
【００１５】
以降、本発明の実施の形態について説明する。本実施の形態としては、所定のディスク状記録媒体（又はフラッシュメモリなどの固体メモリ素子）に対応して、少なくともオーディオデータについての記録再生が可能な記録再生装置とする。
なお、以降の説明は次の順序で行う。
１．記録再生装置
２．ディスクに記録されるデータ内容
３．スキップ操作
４．処理動作
【００１６】
１．記録再生装置
図１のブロック図は、本実施の形態の記録再生装置としての一構成例を示している。
この図に示す記録再生装置１においては、ディスクドライバ５が備えられる。このディスクドライバ５は、所定のディスク状記録媒体（以降、単にディスクという）２０に対してデータの読み出し及び書き込みが可能な構成を採るものである。また、本実施の形態においては、ディスク２０に対してオーディオデータが記録可能とされるが、このオーディオデータは、例えば楽曲ごとにトラック単位で管理されて記録が行われているものとされる。
なお、本実施の形態としては、ディスクドライバ５が対応するディスク２０としては、少なくとも、オーディオデータが記録又は再生可能なフォーマットであれば、特に限定されない。但し本実施の形態においては、後述するように、トラックとしてのオーディオデータごとに対応して付随するとされる文字情報ファイルや画像ファイル（以降、「オーディオ関連データ」という）も記録再生可能とされる。
【００１７】
ディスク２０の種別の一例としては、例えばミニディスク等の光磁気ディスクであっても良いし、ＣＤ方式やＤＶＤ方式に従った各種データ記録又は再生が可能なディスクとされてもよい。更には、ハードディスクなども考えられる。また、以降の説明においては、ディスクメディアを前提として説明を行うが、ディスクドライバ５に代えて、フラッシュメモリなどの固体メモリに対応して記録再生が可能なメモリドライバとしての構成を採っても構わないものである。
【００１８】
オーディオディオデータプロセッサ９は、記録時においては、入力されたオーディオデータについて例えば、所要の方式に従ったデータ圧縮処理、エラー訂正符号の付加処理、及びディスク２０に適合した符号化処理等をはじめとする所要の信号処理を施して、記録データとして、データバス３０を介してディスクドライバ５に供給する。
また、再生時においては、ディスクドライバ５にてディスク２０から読み出されたオーディオデータをデータバス３０を介して取り込み、所要の方式に従った復調処理、データ伸張処理、エラー訂正処理等を行って再生オーディオデータとして出力する。
【００１９】
この図に示す構成では、上記オーディオディオデータプロセッサ９に対する記録データの入力系は二系統存在する。
１つは、Ａ／Ｄコンバータ１２から供給されるオーディオデータを入力する信号系である。この場合、Ａ／Ｄコンバータ１２に対しては、マイクロフォン端子Ｔ１から供給されたマイクロフォン音声信号が、マイクロフォンアンプ１３を介して入力されるようになっている。また、Ａ／Ｄコンバータ１２に対しては、アナログオーディオ信号が入力されるライン入力端子Ｔ２も接続されている。
また、もう１つは、コネクタ１１からデータインターフェイス１０を介して外部機器から伝送されたオーディオデータを、データバス３０を介して入力する信号系である。
【００２０】
また、この場合、オーディオディオデータプロセッサ９から出力された再生オーディオデータは、Ｄ／Ａコンバータ１４によりアナログオーディオ信号に変換されアンプ１５を介して、スピーカ１６又はヘッドフォン端子（又はライン出力端子であってもよい）Ｔ３に対して出力される。
また、オーディオディオデータプロセッサ９から、データバス３０を介して、データインターフェイス１０−コネクタ１１を経由して、デジタルオーディオ信号のまま、外部機器に対して出力することも可能とされている。
【００２１】
また本実施の形態においては、データインターフェイス１０を介して、オーディオデータ以外のデータの伝送も可能とされる。例えば、先にディスク２０に対して記録可能であると述べた、オーディオ関連データ（文字データファイルや画像データファイル）を上記データインターフェイス１０を介して取り込み、ディスク２０に対して記録するといったことも可能とされる。
【００２２】
表示部８は、例えばＬＣＤ(Liquid Crystal Display)を備えて構成され、表示ドライバ７によって駆動されることで表示が行われる。表示ドライバ７の動作は、所要の表示内容に応じてＣＰＵ２によって制御される。
本実施の形態においては、後述するようにしてディスク２０に対して、トラックとしてのオーディオデータに付随する関連情報（オーディオ関連データ）として管理されたうえで、テキスト、画像等のファイルを記録することが可能とされている。そして、本実施の形態においては、例えば、後述するようにして、トラックとしてのオーディオデータ再生時において、これらのオーディオ関連データについての表示も表示部８に対して行うことができるようになっている。
【００２３】
操作部６は、当該記録再生装置１における所要の動作を実行させるために、ユーザが操作する各種操作子が設けられているものとされる。この操作部６では、上記操作子に対して行われた操作に応じた操作情報信号をＣＰＵ２に対して送信する。ＣＰＵ２においては、操作部６から送信された操作情報信号に応答した所要の制御処理を実行する。これによって、操作部６に対する操作に応じた機器の動作が得られる。
また、この図では、操作部６における操作子のうち、特に本実施の形態に関連するものとして、再生キー２１，シャッフルキー２２，及びスキップキー２３を示している。再生キー２１は、ディスクに記録されたトラックとしてのオーディオデータを再生開始させるための操作子である。また、シャッフルキー２２は、トラックとしてのオーディオデータを再生するための再生モードとして、シャッフルモードを設定するための操作子とされる。なお、シャッフルモードについては後述する。スキップキー２３は、後述するようにして、各種再生モードにおいて、現在再生中のトラックの次に再生されるトラックをスキップさせるための操作子である。
また、本実施の形態の記録再生装置１では、トラックの再生モードとして、プログラムモードも設けられている。プログラムモードとは、簡単にいえば、ディスク２０に記録されているトラックのうちから、ユーザが任意に選択したトラックを所望の再生順により再生させるためのモードである。そして、図示はしてしないが、このプログラム内容をユーザが所定の操作手順に従って設定するための操作子も操作部６には設けられているものとされる。
【００２４】
なお、ここでは図示しないが、例えば、操作部６と同等の操作が可能なリモートコントローラを備え、このリモートコントローラに対して行われた操作に応じて、当該記録再生装置１における所要の動作が実行されるように構成しても構わないものである。
【００２５】
ＣＰＵ２は、当該記録再生装置１における所要の動作を実現するために、各機能回路部に対する制御及び、内部演算処理等を実行する。
ＲＯＭ３には、ＣＰＵ２が実行すべき所要の各種プログラムや、ＣＰＵ２の処理に必要とされる各種データが記憶されている。
また、ＲＡＭ４は、ＣＰＵ２が利用べきものとしてＲＯＭ３から読み出したプログラムが保持されるほか、ＣＰＵ２が実行した各種制御処理や演算処理によって得られたデータも保持されるためのメモリである。なおここでは、ＲＡＭ４においては、後述するプログラム再生モード時に対応して、ユーザが登録したプログラム再生順の情報が格納されるプログラム設定領域４ａが設定されているものとされる。
【００２６】
なお、図１に示した構成はあくまでも一例であって、本発明として適用されるな機器としての構成はこれに限定されるものではなく各種変更が可能である。
【００２７】
２．ディスクに記録されるデータ内容
ここで確認のために、図２に、ディスク２０に記録されるデータの論理的構造を簡単に示しておく。
図２（ａ）に示すようにして、ディスク２０に対しては、先にも述べたように、オーディオデータが、例えば楽曲ごとに対応するトラックの単位で記録される。例えば、トラックは、図のように、トラック＃１〜＃Ｎのように、トラックナンバが付されるようにして管理が行われる。
そして、図２（ｂ）に示すようにして、上記トラックごとに対応して付随するものとされるオーディオ関連データ（文字データファイルや画像データファイル）が記録される。オーディオ関連データも、図のように、それぞれトラック＃１〜＃Ｎに対応付けされて管理されるようにして記録が行われる。
することができるものとされる。
【００２８】
このようにしてデータが記録されるディスク２０に対しては、ディスク２０に記録されたオーディオデータを再生出力するのに加え、上記オーディオ関連データも所要のタイミングで再生出力して、例えば表示出力させることが可能とされる。
ここで、オーディオ関連データとしては、例えば、トラックとしての楽曲に関連する情報とされ、文字データファイルであれば、例えば、トラックのタイトル、そのトラックが含まれるとされるアルバムとしてのタイトル、そのトラックとしての楽曲を演奏している演奏者名、演奏者に関するプロフィール、更には、歌詞などが挙げられる。また、画像データファイルとしては、そのトラックに対応するアルバムジャケットや演奏者の写真、更には、ビデオクリップ的な動画像などが考えられる。そして、これらの各種のファイルデータが例えばその種別内容が識別可能とされたうえで、トラックに対応付けされて管理されるものである。
【００２９】
３．スキップ操作
本実施の形態の記録再生装置１では、トラック（オーディオデータ）を再生するための再生モードとして、少なくとも、ノーマルモードと、シャッフルモードと、プログラムモードの３つが備えられるものとされる。
【００３０】
ノーマルモードは、例えば１つのアルバムとして管理されて記録されている全てのトラックトラックナンバ順に従ってトラックを順次再生していくモードであり、例えば特にモード指定を行うことなく、再生停止状態から操作部６の再生キー２１を操作すれば、このノーマルモードによるトラック再生が開始される。
【００３１】
シャッフルモードは、ディスク２０において、例えば１つのアルバムとして管理されて記録されている全てのトラックについて、ランダムなトラック順により、順次トラック再生を行っていくモードである。つまり、このシャッフルモードを選択して再生を行った場合、ユーザは、毎回異なったトラック再生順により再生音声を聞くといった楽しみ方をすることができる。
【００３２】
シャッフルモードとするための再生手順としては、例えばユーザは、再生が停止されている状態の下で、操作部６のシャッフルキー２２を操作するようにされる。これによって、再生モードとしてシャッフルモードが設定される。シャッフルモードが設定されたことは、例えば表示部８の表示画面に対して表示が行われることで、ユーザに知らされるものである。そして、この後、再生キー２１を操作すれば、シャッフルモードによる再生が行われる。
【００３３】
プログラムモードは、例えば１つのアルバムとして管理されて記録されている全てのトラックのうちから、ユーザが任意に選択した１以上のトラックについて、任意の再生順を指定して再生することのできるモードである。
このための操作としては、例えば、再生が停止されている状態の下で、操作部６に対してプログラムモードとするための所定のキー操作を行う。これにより、プログラム再生するトラックを選択可能な状態となるので、ユーザは、例えば操作部６に設けられた数字キー等を操作することで、プログラム再生させたいトラックナンバを、所望の再生順に従って指定していく。そして、所定の操作によって、登録のための操作を行う。これによって、これまでの操作によって指定したトラックの再生順が、ＲＡＭ４のプログラム設定領域４ａに格納される。
そして、この後、再生キー２１を操作すれば、プログラム設定領域４ａに格納されている登録内容に従って、順次トラック再生が行われる。つまり、プログラム再生が行われる。
【００３４】
そして、本実施の形態においては、上記各再生モードのもとでトラック再生が行われているときには、例えば図３（ａ）に示すような表示が表示部８に対して行われる。ここでは、シャッフル再生中の表示状態例を示している。
【００３５】
図３（ａ）においては、先ず、現在再生中のトラックに関する情報が表示される現トラック表示領域４０が示されている。この現トラック表示領域４０においては、現在再生中のトラックナンバと、再生時間と、トラックの楽曲のタイトルが示されている。ここでは、トラック＃６が再生されており、現在の再生時間は３分３０秒とされ、トラックタイトルは「ＮＯ  ＰＬＡＣＥ  ＬＩＫＥ  ＨＯＭＥ・・」であることが示されている。ここで、トラックの楽曲のタイトルは、先に説明したように、トラック＃６に対応するオーディオデータ関連情報のうち、種別としてタイトルとして管理されている文字データファイルをディスクから再生したことにより得られるものである。
また、この現トラック表示領域４０においては、現在の再生モードを示す再生モード表示も行われるものとされ、ここでは、シャッフルモードであることを示す「Shuffle」という文字が表示されている。
【００３６】
そして、上記現トラック表示領域４０の下側には、次トラック表示領域４１が示されている。この次トラック表示領域４１は、現在再生されているトラックの次に再生されるべきトラック（次トラック）を予告してユーザに通知するための表示領域とされる。通常、例えば従来においては、シャッフルモードとしての再生を行う際には、次トラックを告知することは行われないものであるが、本実施の形態では、後述するスキップ操作にも対応することを考慮して、このような次トラックの表示が行われるものである。
ここでの次トラック表示領域４１の表示形態としては、トラックナンバ（トラック＃２）と、そのタイトル（ＤＯ  ＹＯＵ  ＫＮＯＷ・・）としての文字が示されるものとなっている。
【００３７】
このようにして、本実施の形態では、現在再生中のトラックの次に再生されるべきトラックが何であるのかを示す情報が表示部８に対して表示されるため、ユーザはこの表示を見ることで、次に再生される楽曲が何であるのかを把握することが可能である。
【００３８】
ここで例えば、トラック＃６の再生中において、図３（ａ）に示す次トラック表示領域４１をユーザが見て、ここに示されている次トラックは、ユーザの好みではなく、ユーザはこの楽曲については、再生をせずにとばしてしまいたいと思ったとする。このような場合、ユーザは、操作部６におけるスキップキー２３を操作する。
【００３９】
スキップキー２３が操作された場合、図３（ａ）において次トラック表示領域４１に示されていた、「ＤＯ  ＹＯＵ  ＫＮＯＷ・・」というタイトルのトラック＃２は、次トラックとしての設定がキャンセルされる。そして、図３（ｂ）に示すようにして、他のトラックが次トラックとして新たに設定されて、次トラック表示領域４１の表示が変更されることになる。ここでは、新規な次トラックとして、「ＤＩＤ  ＹＯＵ  ＫＮＯＷ・・」というタイトルのトラック＃４が表示されている状態が示されている。
【００４０】
なお、例えば図３（ｂ）に示す状態から更にスキップキー２２が操作されたのであれば、「ＤＩＤ  ＹＯＵ  ＫＮＯＷ・・」というタイトルのトラック＃４が更にスキップされて、新たに、別のトラックが次トラックとして選択されて次トラック表示領域４１に対して表示されることになる。
【００４１】
また、上記した現トラック表示領域４０及び次トラック表示領域４１の表示形態は、ノーマルモード及びプログラムモードについてもほぼ同様となる。但し、再生モード表示４２においては、ノーマルモードであればノーマルモード（或いは非表示でもよい）を、プログラムモードであればプログラムモードを示す内容に表示が変更される。
そして、ノーマルモード及びプログラムモード時においても、スキップキー２３の操作によって、これまでの次トラックがスキップされて、新たな次トラックが次トラック表示領域４１に表示されることになる。
【００４２】
また、本実施の形態においては、上記のようにしてスキップキー２３が操作された場合に、既に再生が済んでいるトラックは、新規に次トラックとして選択されるトラックの候補からは除外されるものとする。これは、シャッフルモードだけではなく、ノーマルモード及びプログラムモードについても同様であるものとする。
従って、ノーマルモードによる再生時において、スキップ操作が行われたのであれば、スキップされたトラックナンバの次のトラックナンバが、次トラックとして設定されることになる。
また、プログラムモードによる再生時において、スキップ操作が行われた場合にも、スキップされたトラックの次に再生されるべきとして登録されているトラックが次トラックとして新規に選択されることになる。
【００４３】
また、シャッフルモードに関しての、スキップキー２３の操作によって再生がとばされた（スキップされた）トラックについての扱いであるが、１つとしては、再生済みとして扱って以降のシャッフル再生によっては再生されないようにすることが考えられる。また、１つとしては、再生済みとしては扱わずに、スキップ操作が行われて次トラックの変更が行われて以降における次トラックの決定時において、スキップされたトラックを次トラックの候補に含めるようにすることが考えられる。
【００４４】
これまでの説明のようにして、本実施の形態では、スキップキーの操作によって、次トラックをスキップさせることが可能とされる。
例えば従来において、ユーザが或る楽曲としてのトラックの再生が行われないようにスキップさせるには、何れの再生モードであるにせよ、スキップさせる対象となるトラックの再生が開始されたときに、例えば、トラックを１つ送るための頭出し選曲操作を行う必要があった。つまり、スキップさせる対象となるトラックより前のトラックが再生されている期間中においては、この、スキップの対象であるトラックを、予めスキップさせるための操作機能は無かったものである。
これに対して、本実施の形態のようにして、次トラックをスキップできるようにすれば、現在再生中のトラックの再生が終了して次トラックの再生が開始されれるのを待つことがなくなるため、それだけユーザにとっての使い勝手が向上されるものである。
特に、シャッフル再生モードに関しては、従来は次トラックをユーザに提示することも行われておらず、従って、ユーザは次に再生されるトラックを予め把握することも出来ずにいたものである。これに対して、本実施の形態では、シャッフルモード時においては、図３により説明したようにして次トラックの表示を行うと共に、スキップ操作ができるように構成したことで、ユーザはシャッフルモード時であっても、少なくとも次に再生されるトラックを知ることができると共に、ユーザが気に入らなければ、この次トラックの再生をスキップさせるための操作を行うことも可能となる。
【００４５】
なお、次トラック表示領域４１としての表示形態としては、図３に示すものに限定されるものではない。例えば、表示領域に余裕があり、かつ、ディスク２０に対してオーディオ関連データとして、アルバムジャケットなどの画像データファイルが記録されているのであれば、このような画像データファイルを表示させることも可能である。
【００４６】
また、逆に、例えば次トラックを示す情報としては、トラックナンバさえ表示されれば、ユーザとしてはそのトラックナンバが付されたトラックの楽曲を知ることは可能である。このため、本実施の形態において、次トラックを示すための必要最小限の情報としては、トラックナンバということになる。但し、図３に示したように、アルバムタイトルなど、トラックナンバ以外の情報を提示するようにすれば、それだけ次トラックがどのような楽曲であるのかを更に容易に把握することができるものである。
【００４７】
４．処理動作
続いて、上述した各再生モード時におけるスキップ操作に応じた、トラックのスキップ動作を実現するための処理動作について、図４〜図１０のフローチャートを参照して説明する。なお、この処理動作は、ＣＰＵ２が実行する。また、以降説明する処理動作としては、これより以前の段階において、先に説明した所定の操作手順によって、再生モードが選択されている状態にあるものとする。
【００４８】
先ず、ＣＰＵ２は、図４に示すステップＳ１０１において、再生キー２１の操作が行われるのを待機しており、ここで再生キー２１の操作があったことが判別された場合には、ステップＳ１０２に進む。
ステップＳ１０２においては、現在設定されている再生モードを判別する。そして、ノーマルモードである場合には、図８のステップＳ５０１に進むようにされる。また、プログラムモードである場合には、図１０のステップＳ７０１に進むようにされる。また、シャッフルモードである場合には、図４におけるステップＳ１０３に進むことで、以降、シャッフルモードとしてのトラック再生が行われる。
【００４９】
ステップＳ１０３においては、以降のシャッフルモードにより再生されるトラックの再生順番を示す変数ｎについてｎ＝１（即ち１番目）を設定する。そして、次のステップＳ１０４において、この１（ｎ＝１）番目に再生すべきトラック＃ａを決定するための処理を実行する。
この際のＣＰＵ２の処理としては、例えばディスク２０において、１つのアルバムとして管理される全てのトラックのトラックナンバを候補として、乱数を発生させる。仮に、上記全てのトラックナンバがトラック＃１〜＃１０まであるとしたのであれば、ステップＳ１０４においては、１〜１０の整数を候補として乱数を発生させ、ここで得られた１〜１０の整数のうちの１つの数ａが、トラックナンバ＃ａとして決定されることになる。
【００５０】
上記のようにして、トラック＃ａが選択されると、ＣＰＵ２はステップＳ１０５に進み、ｎ番目としてのトラック＃ａの再生を開始するための制御処理を実行する。つまりＣＰＵ２は、ディスク２０に記録されているトラック＃ａとしてのオーディオデータの読み出しを行って、先に図１にて説明したようにして、所要の信号処理を行って、アナログ又はデジタルによるオーディオ信号として出力する。
【００５１】
そして続くステップＳ１０５の処理としては、トラック＃ａについての再生状況を表示部８に対して表示するための制御処理を実行する。つまり、トラック＃ａに関して、例えば図３の現トラック表示領域４０としての表示態様が得られるように表示ドライバ７に対しての制御を実行する。この際、現トラック表示領域４０におけるトラックナンバは、トラック単位でオーディオデータを管理するディスク２０上の管理情報に基づいて行われる。また、再生時間表示は、例えばオーディオデータに挿入されたサブコードなどを抽出して得られる時間情報を利用して行うようにすることが考えられる。そして、楽曲としてのタイトルとしての文字は、トラック＃ａのオーディオ関連データとしてのタイトル文字データファイルをディスク２０から読み出し、このタイトル文字データファイルに従った文字表示が行われるように制御を実行することで、その表示が実現される。
【００５２】
続くステップＳ１０７においては、変数ｎについて最大トラックナンバと同じとなったか否かが判別される。つまり、現在再生中のトラックが再生すべき最後のトラックであるか否かを判別するものである。ここで、肯定結果が得られた場合には、ステップＳ１１２に進むことで、現在再生中のトラック＃ａの再生が終了するのを待機し、トラック＃ａの再生が終了すれば、ステップＳ１１３にてオーディオデータの再生を停止させてこのルーチンを抜けるようにされる。
【００５３】
これに対して、ステップＳ１０７において否定結果が得られた場合には、未だ再生すべきトラックが残っているとして、ステップＳ１０８に進む。ステップＳ１０８においては、ｎ＋１番目に再生すべきトラック＃ｂを決定するための処理を実行する。つまり、現在再生中のトラックの次に再生すべき次トラックのトラックナンバを選択するための処理が実行される。
この場合、ＣＰＵ２は、再生済みのトラック（現在再生中のトラックを含む）のトラックナンバを候補から除外し、残るトラックナンバを候補として乱数を発生させる。そして、ここで得られた値をトラック＃ｂとして決定することになる。
【００５４】
そして、続くステップＳ１０９においては、上記ステップＳ１０８にて決定されたトラック＃ｂについて、図３（ａ）に示したような、次トラック表示領域４２の表示が行われるように制御処理を実行する。
ここまでの処理によって、例えばシャッフルモード時における、図３（ａ）に示すような表示部８の表示状態が得られることになる。
【００５５】
続くステップＳ１１０においては、トラック＃ａ（即ち現在再生中のトラック）の再生が終了するのを待機しており、再生が終了したら、ステップＳ１１１に進む。
ステップＳ１１１においては、変数ｎについて、ｎ＋１にインクリメントを行う。また、これまで次トラックとして扱われていたトラック＃ｂについて、現在再生中のトラック＃ａとして扱われるように、トラックナンバの管理を行う。なお、これより以前におけるトラック＃ａとしての値は、再生済みのトラックナンバとして扱われるようにされる。
そして、ステップＳ１０５の処理に戻るようにされる。
【００５６】
このような処理が実行されることで、トラックナンバに従わないランダムな再生順でのトラック再生（即ちシャッフル再生）が行われるようにされると共に、トラック再生の経過に従って、図３（ａ）に示したような現在再生中のトラックに関しての再生状況表示（現トラック表示領域４０）及び次トラックが何であるのかを示す表示（次トラック表示領域４１）が行われていくことになる。
【００５７】
そして、上記図４のステップＳ１０３〜ステップＳ１１３として示すシャッフル再生のための処理が実行されているときにおいて、スキップキー２３の操作が行われた場合には、図５に示す割り込み処理が実行されることで、図３（ａ）→図３（ｂ）の遷移として示したように、次トラックのスキップが行われる。
【００５８】
図５に示す処理としては、先ずステップＳ２０１においてスキップキー２３の操作が行われるのを待機しており、ここでスキップキー２３の操作が行われたことが判別されると、ステップＳ２０２に進むようにされる。ステップＳ２０２においては、現在決定されている次トラックのトラックナンバであるトラック＃ｂについて変更を行うための処理を実行する。なお、この処理としては、実際には、図４のステップＳ１０８に含まれる処理となるものである。
【００５９】
ステップＳ２０２の処理は、例えば図６に示すものとなる。
図６においては、先ずステップＳ３０１において、現在のトラック＃ｂについて、スキップ対象となったトラックナンバを示すトラック＃ｃとして設定する。
そして、続くステップＳ３０２において、トラック＃ｃを次トラック決定のための候補のトラックナンバから除外するための設定処理を実行する。また、続くステップＳ３０３において、再生済みのトラックナンバもまた次トラック決定のための候補のトラックナンバから除外するように設定する。これにより、次トラック決定のための候補としては、スキップ対象となったトラックと、再生済みのトラックのトラックのトラックナンバが除外されることになる。
【００６０】
そして、ステップＳ３０４において、上記ステップＳ３０２，Ｓ３０３の処理によって候補として残ったトラックナンバについて乱数を発生させることで、新規なトラック＃ｂ（即ち次トラック）を決定する。
【００６１】
また、ここでは、上記ステップＳ３０５に続けて、ステップＳ３０６の処理として、先のステップＳ３０１の処理によってスキップ対象となって、一時的に次トラック決定候補から除外されていたトラック＃ｃを、次回からの次トラック決定のための候補のトラックナンバに含めるように設定しておく。なお、このような次トラック決定のための候補のトラックナンバの設定は、例えばＲＡＭ４の所定領域を利用して行われるものである。
【００６２】
そして、ここまでの処理が終了したとされると、システムコントローラとしては、図５のステップＳ２０３に進むようにされる。このステップＳ２０３は、実際には、図４に示したステップＳ１０９の処理と重複するものである。
これによって、表示部８の次トラック表示領域４１としては、「上記ステップＳ３０４にて新規に決定された次トラックであるトラック＃ｂについての表示に切り替わることになる。つまり、図３（ａ）から図３（ｂ）に示す表示の状態遷移が得られる。
【００６３】
また、この場合には、図６に示した処理において、ステップＳ３０５の処理が実行されることで、これより以降の次トラック決定のための処理に際しては、スキップ対象となったトラックは、シャッフル再生の候補として扱われることになる。つまり、スキップ操作が行われた時にのみ対応してスキップが行われるもので、以降のシャッフル再生においては、再生が行われる可能性を持つものである。
【００６４】
これに対して、図５のステップＳ２０２については、図６に示す処理に代えて、図７に示すような処理とすることで、一旦スキップされたトラックについては、シャッフル再生が行われないようにすることも可能である。
図７においては、先ずステップＳ４０１において、現在次トラックとして決定されているトラック＃ｂについて再生済みのトラックとして含めるようにする。そして、このうえで、再生済みのトラックナンバを次トラック決定候補のトラックナンバから除外するように設定を行う。
【００６５】
そして、続くステップＳ４０２において、上記ステップＳ４０１にて設定された次トラック候補によって乱数を発生させて、新規なトラック＃ｂを決定するための処理を実行する。
そしてこの後、図５のステップＳ２０３に進むことになる。
【００６６】
図６に示した処理は、スキップの対象となったトラックは、以降のシャッフル再生において再生されることになるので、例えば、ユーザの要望として、シャッフル再生時において、再生曲順に従った流れや雰囲気を重視するような場合に適するものとされる。つまり、現在再生されている曲（トラック）の次には、この次トラックを再生したいとは思わないが、後の或る曲の次には、この次トラックは再生したいといったときには、この再生モードが有効になる。
これに対して、図７に示した処理では、一旦スキップしたトラックは、以降、シャッフル再生されないことになるので、例えば、ユーザにとって、そのアルバムの中でシャッフル再生中を通して聴きたくない楽曲（トラック）があるような場合に適していることになる。
そして、図５のステップＳ２０２の処理として、図６と図７の何れの処理とするのかについては、例えば、ユーザの実際の使い勝手を考慮して、機器側で予め設定しておくことが考えられる。或いは、所定の操作によって、ユーザが任意に選択できるようにすることも考えられる。
【００６７】
これまでは、シャッフルモード時の動作について説明を行った。
これに対して、図４のステップＳ１０２にてノーマルモードであることが判別された場合には、図８のステップＳ５０１に進む。
ステップＳ５０１においては、トラックナンバを示す変数ＮについてＮ＝１と設定し、ステップＳ５０２に進む。ステップＳ５０２においては、トラック＃Ｎの再生を開始する。従って、このステップＳ５０２に最初に移行した段階では、トラック＃１の再生が開始されることになる。
【００６８】
続くステップＳ５０３においては、トラック＃Ｎについて、図３の現トラック表示領域４０としての表示が行われるように表示制御を実行する。
そして、続くステップＳ５０４において、変数ＮについてＮ＝最大トラックナンバとされているか否かについて判別を行う。つまり、現在再生中のトラックが最後のトラックであるか否かが判別される。
このステップＳ５０４にて肯定結果が得られた場合には、ステップＳ５０９に進み、現在再生中のトラック＃Ｎの再生が終了するのを待機し、トラック＃Ｎの再生の終了を以て、続くステップＳ５１０にてオーディオデータの再生を停止させる。そしてこのルーチンを抜ける。
【００６９】
これに対して、ステップＳ５０４にて否定結果が得られ、全てのトラックの再生が終了していないとされる場合には、ステップＳ５０５に進む。
ステップＳ５０５においては、現在再生中のトラック＃Ｎに続くトラックナンバを有するトラック＃Ｎ＋１について、次トラックとしてのトラックナンバを示すトラック＃Ｍとして設定し、ステップＳ５０６に進む。
【００７０】
ステップＳ５０６では、トラック＃Ｍとして設定されたトラックについて、図３（ａ）に示したように、次トラック表示領域における表示が行われるように表示制御を実行する。
【００７１】
そして、続くステップＳ５０７において、現在再生中のトラック＃Ｎの再生が終了するのを待機する。そして、トラック＃Ｎの再生が終了したとされると、続くステップＳ５０８において、これまで次トラックとして設定されていたトラック＃Ｍについて、現在再生されるべきトラック＃Ｎとして扱うように設定を行い、ステップＳ５０２の処理に戻るようにされる。
【００７２】
そして、上記図８のようにしてノーマルモードとしての再生処理が実行されているときにスキップキー２３が操作された場合には、図９に示す処理を実行することで、次トラックのスキップが行われる。
【００７３】
図９においては、先ず、ステップＳ６０１においてスキップキー２３が操作されるのを待機しており、ここでスキップキー２３が操作されたとすると、ステップＳ６０２に進む。
ステップＳ６０２においては、現在（スキップキー操作時）において次トラックとして設定されていたトラック＃Ｍを再生済みとして処理する。そして、続くステップＳ６０３において、この再生済みとして扱われたトラック＃Ｍの次のナンバのトラック（＃Ｍ＋１）について、新規なトラック＃Ｍとして扱うようにされる。
そして、次のステップＳ６０４の処理として、上記ステップＳ６０４にて新規にトラック＃Ｍとして設定されたトラックについて、次トラック表示領域４１としての表示が行われるように表示制御を実行する。これは実質的には、図８のステップＳ５０６の処理に移行したものとされる。
【００７４】
このような処理が実行されることで、ノーマルモードとしての、トラックナンバ順に従ったトラック再生が行われる。また、ノーマルモードとしての再生時においても、図３（ａ）に示したような現トラック表示領域４０と、次トラック表示領域４１の表示が行われる。そして、スキップキー２３の操作に応じて、或るトラックを再生しているときに、次トラックをスキップさせて、更に以降のトラックナンバのトラックを次トラックとして設定することができるものである。そして、これに応じて、表示部８の表示内容も、図３（ａ）→図３（ｂ）に従って説明したようにして変更される。
【００７５】
続いて、プログラムモード時に対応する処理動作について説明する。
先に示した図４のステップＳ１０２において、プログラムモードが設定されていることが判別された場合には、図１０のステップＳ７０１に進むことで、プログラムモード再生のための処理が実行される。
【００７６】
図１０においては、先ずステップＳ７０１において、以降プログラムモードにより再生されるトラックの再生順番を示す変数ｎについてｎ＝１（１番目）を設定する。そして、ステップＳ７０２において、この１（ｎ＝１）番目に再生すべきトラック＃ａを識別するための処理を実行する。
この段階では、先に述べた操作手順からもわかるように、既に、再生キー２１を操作する前のプログラム設定操作によって、ユーザが登録したプログラム再生順の情報がＲＡＭ４のプログラム設定領域４ａに対して格納されている状態にある。上記ステップＳ７０２の処理に際しては、ＣＰＵ２は、このプログラム設定領域４ａに格納された情報内容を参照することで、上記トラック＃ａとしてのトラックナンバを識別するようにされる。
【００７７】
続くステップＳ７０３においては、ｎ番目としてのトラック＃ａの再生を開始するための制御処理を実行する。
そして、続くステップＳ７０４において、トラック＃ａの再生と共に、このトラック＃ａについて、図３の現トラック表示領域４０としての表示態様が得られるように表示制御を実行する。
【００７８】
続くステップＳ７０５においては、変数ｎについてプログラム登録されたトラック数と一致しているか否かを判別する。つまり、ここでも現在再生中のトラックが再生すべき最後のトラックであるか否かを判別するものである。ここで、肯定結果が得られた場合には、ステップＳ７０９に進んで、現在再生中のトラック＃ａの再生が終了するのを待機し、トラック＃ａの再生が終了すれば、ステップＳ７１０にてオーディオデータの再生を停止させてこのルーチンを抜ける。
【００７９】
これに対して、ステップＳ７０５において否定結果が得られた場合には、未だ再生すべきトラックが残っているとして、ステップＳ７０６に進む。ステップＳ７０６においては、ＲＡＭ４のプログラム設定領域４ａを参照して、ｎ＋１番目に再生すべきトラック＃ｂを決定するための処理を実行する。つまり、現在再生中のトラックの次に再生すべき次トラックのトラックナンバを選択するための処理が実行される。
この場合、ＣＰＵ２は、原則としては、現在再生中のトラック及びこれより以前に再生されたトラックを再生済みのトラックとして扱い、未だプログラム再生が行われていないトラックのうちから、現在再生中のトラックの次に再生されるものとして登録されているトラックをトラック＃ｂとして決定する。
【００８０】
そして、続くステップＳ７０７においては、上記ステップＳ７０６にて決定されたトラック＃ｂに関して、図３（ａ）に示した次トラック表示領域４２の表示が行われるように制御処理を実行する。
ここまでの処理によって、例えばプログラムモードによりトラック再生を行っているときにも、図３（ａ）に示すような表示部８の表示状態が得られることになる。
【００８１】
続くステップＳ７０８においては、トラック＃ａ（現在再生中のトラック）の再生が終了するのを待機しており、再生が終了したら、ステップＳ７１１に進む。
ステップＳ７１１においては、変数ｎについて、ｎ＋１にインクリメントを行う。また、これまで次トラックとして扱われていたトラック＃ｂについて、現在再生中のトラック＃ａとして扱われるように、数値の置き換え処理を行う。なお、これより以前におけるトラック＃ａとしての値は、再生済みのトラックナンバとして扱われるようにされる。そして、ステップＳ７０３の処理に戻るようにされる。
【００８２】
以上示したような処理によって、プログラム再生が行われると共に、トラック再生の経過に従って、図３（ａ）に示した表示が行われていくようにされる。
【００８３】
そして、このプログラムモードによるトラック再生中においてスキップキー２３が操作された場合のスキップ処理であるが、これは、先のシャッフルモードにおけるスキップ処理として示した図５の処理に準ずればよい。但し、プログラム再生にあっては、トラック再生順は登録された内容に従って決定されているため、スキップの対象となったトラックを、この後に実行される次トラック決定のための候補として含める必要性は特に無いものと考えられる。このため、図５のステップＳ２０２の処理としては、図７に示した処理動作が実行されるように構成すれば良いものとされる。
【図面の簡単な説明】
【００８４】
【図１】本発明の実施の形態としての記録再生装置の構成例を示すブロック図である。
【図２】本実施の形態のディスクに記録されれるデータ内容を概念的に示す説明図である。
【図３】本実施の形態におけるトラック再生時の表示部の表示形態を示す説明図である。
【図４】本実施の形態としてのトラック再生（シャッフルモード）を実現するための処理動作を示すフローチャートである。
【図５】シャッフルモード時のスキップ処理を示すフローチャートである。
【図６】シャッフルモード時でのスキップ処理における、次トラックの変更処理（第１例）を示すフローチャートである。
【図７】シャッフルモード時でのスキップ処理における、次トラックの変更処理（第２例）を示すフローチャートである。
【図８】本実施の形態としてのトラック再生（ノーマルモード）を実現するための処理動作を示すフローチャートである。
【図９】ノーマルモード時のスキップ処理を示すフローチャートである。
【図１０】本実施の形態としてのトラック再生（プログラムモード）を実現するための処理動作を示すフローチャートである。
【符号の説明】
【００８５】
１  記録再生装置、２  ＣＰＵ、３  ＲＯＭ、４  ＲＡＭ、４ａ  プログラム設定領域、５  ディスクドライバ、６  操作部、７  表示ドライバ、８  表示部、９  オーディオディオデータプロセッサ、１０  データインターフェイス
１１  コネクタ、２０  ディスク、３０  データバス、４０  現トラック表示領域、４１  次トラック表示領域、４２  再生モード表示
【図１】
2007087580.tif 000003
【図２】
2007087580.tif 000004
【図３】
2007087580.tif 000005
【図４】
2007087580.tif 000006
【図５】
2007087580.tif 000007
【図６】
2007087580.tif 000008
【図７】
2007087580.tif 000009
【図８】
2007087580.tif 000010
【図９】
2007087580.tif 000011
【図１０】
2007087580.tif 000012